(57)【要約】  本開示のセンサーネットワーク（Ｓｅｎｓｏｒ  Ｎｅｔｗｏｒｋ）、マシンツーマシン（Ｍａｃｈｉｎｅ  ｔｏ  Ｍａｃｈｉｎｅ、Ｍ２Ｍ）、ＭＴＣ（Ｍａｃｈｉｎｅ  Ｔｙｐｅ  Ｃｏｍｍｕｎｉｃａｔｉｏｎ）  及びモノのインターネット（Ｉｎｔｅｒｎｅｔ  ｏｆ  Ｔｈｉｎｇｓ、ＩｏＴ）のための技術に係る。本開示の前記技術を基盤とする知能型サービス（スマートホーム、スマートビルディング、スマートシティ、スマートカー或いはコネックティドカー、ヘルスケア、デジタル教育、小売り業、保安及び安全関連サービスなど）に活用されることができる。本発明の一実施形態にによる電子装置の冷暖房制御方法は、第１時間の間の測定された温度変化に基づいて温度変化率を決定する段階と、決定された温度変化率及び温度変化が測定された位置に対する位置情報に基づいて、第１密集度情報を獲得する段階及び第１密集度情報によって、冷暖房を制御する段階と、を含むことができる電子装置及びその冷暖房制御方法を提供する。
2019508654.tif 000002
【特許請求の範囲】
【請求項１】
電子装置の冷暖房制御方法であって、
第１時間の間の測定された温度変化に基づいて、温度変化率を決定する段階と、
前記決定された温度変化率及び前記温度変化が測定された位置に対する位置情報に基づいて、第１密集度情報を獲得する段階と、及び
前記第１密集度情報によって冷暖房を制御する段階と、を含む方法。
【請求項２】
前記密集度情報は、
前記電子装置が制御する空間に対し、発熱客体が占める割合に対する情報であることを特徴とする、請求項１に記載の方法。
【請求項３】
前記獲得する段階は、
前記位置情報によって、予め記憶された温度変化率と密集度情報のマッピング情報に基づいて、前記決定された温度変化率に対応する前記第１密集度情報を獲得することを特徴とする、請求項１に記載の方法。
【請求項４】
前記獲得する段階は、
前記位置情報をサーバーに送信する段階と、
前記サーバーから前記位置情報に対応する温度変化率と密集度情報のマッピング情報を受信する段階と、及び
前記受信された温度変化率及び密集度情報のマッピング情報に基づいて、前記第１密集度情報を獲得する段階と、をさらに含むことを特徴とする、請求項１に記載の方法。
【請求項５】
前記制御する段階は、
前記第１密集度情報の密集度が０の場合、
前記電子装置が制御する空間に対して設定されたターゲット視覚でターゲット温度に到逹するための温度変化率を確認する段階と、及び
前記確認された温度変化率に対応して動作モード及びエネルギー消費量がマッピングされた情報で、前記エネルギー消費量を最小とする動作モードによって制御する段階と、をさらに含むことを特徴とする、請求項１に記載の方法。
【請求項６】
前記獲得する段階は、
前記決定された温度変化率及び前記位置情報をサーバーに送信し、前記サーバーから前記位置情報に基づいて、前記温度変化率による第１密集度情報を獲得することを特徴とし、
前記制御する段階は、
前記第１密集度情報によって前記冷暖房を制御するために少なくとも一つの冷暖房装置を決定し、前記決定に基づいて前記冷暖房を制御することを特徴とする、請求項１に記載の方法。
【請求項７】
冷暖房を制御する電子装置であって、
第１時間の間の測定された温度変化に基づいて温度変化率を決定し、前記決定された温度変化率及び前記温度変化が測定された位置に対する位置情報に基づいて、第１密集度情報を獲得し、前記第１密集度情報によって、冷暖房を制御する制御部を含む電子装置。
【請求項８】
前記密集度情報は、
前記電子装置が制御する空間に対し、発熱客体が占める割合に対する情報であることを特徴とする、請求項７に記載の電子装置。
【請求項９】
前記制御部は、
前記位置情報によって、予め記憶された温度変化率と密集度情報のマッピング情報に基づいて、前記決定された温度変化率に対応する前記第１密集度情報を獲得することを特徴とする、請求項７に記載の電子装置。
【請求項１０】
信号を送受信する送受信部と、をさらに含み、
前記制御部は、
前記位置情報をサーバーに送信し、前記サーバーから前記位置情報に対応する温度変化率と密集度情報のマッピング情報を受信するように前記送受信部を制御し、前記受信された温度変化率及び密集度情報のマッピング情報に基づいて、前記第１密集度情報を獲得することを特徴とする、請求項７に記載の電子装置。
【請求項１１】
前記制御部は、
前記第１密集度情報の密集度が０の場合、
前記電子装置が制御する空間に対して設定されたターゲット視覚でターゲット温度に到逹するための温度変化率を確認し、前記確認された温度変化率に対応して動作モード及びエネルギー消費量がマッピングされた情報で、前記エネルギー消費量を最小とする動作モードによって制御することを特徴とする、請求項７に記載の電子装置。
【請求項１２】
前記制御部は、
前記決定された温度変化率及び前記位置情報をサーバーに送信し、前記サーバーから前記位置情報に基づいて、前記温度変化率による第１密集度情報を獲得し、前記第１密集度情報によって前記冷暖房を制御するために少なくとも一つの冷暖房装置を決定し、前記決定に基づいて前記冷暖房を制御することを特徴とする、請求項７に記載の電子装置。
【発明の詳細な説明】
【技術分野】
【０００１】
本発明は、電子装置及びその冷暖房制御方法に関する。より具体的に、本発明においては空間の環境により冷暖房を効率的に制御する電子装置及びその冷暖房制御方法を提案する。
【背景技術】
【０００２】
インターネットは、人間が情報を生成して消費する人間中心の連結網から事物などの分散した構成要素の間に情報を取り交わして処理するＩｏＴ（Ｉｎｔｅｒｎｅｔ  ｏｆ  Ｔｈｉｎｇｓ、モノのインターネット）網に進化しつつある。クラウドサーバーなどとの接続を通じるビックデータ（Ｂｉｇ  ｄａｔａ）処理技術などがＩｏＴ技術に結合されたＩｏＥ（Ｉｎｔｅｒｎｅｔ  ｏｆ  Ｅｖｅｒｙｔｈｉｎｇ）技術も現れている。ＩｏＴを具現するためにセンシング技術、有無線通信及びネットワークインフラ、サービスインターフェース技術、及び保安技術のような技術要素が求められ、近年には事物間の接続のためのセンサネットワーク（ｓｅｎｓｏｒｎｅｔｗｏｒｋ）、マシンツーマシン（Ｍａｃｈｉｎｅ  ｔｏ  Ｍａｃｈｉｎｅ、Ｍ２Ｍ）、ＭＴＣ（Ｍａｃｈｉｎｅ  Ｔｙｐｅ  Ｃｏｍｍｕｎｉｃａｔｉｏｎ）などの技術が研究されている。
【０００３】
ＩｏＴ環境では接続された事物で生成されたデータを収集、分析して人間の生活に新しい価値を創出する知能型ＩＴ（Ｉｎｔｅｒｎｅｔ  Ｔｅｃｈｎｏｌｏｇｙ）サービスが提供されることができる。ＩｏＴは既存のＩＴ（ｉｎｆｏｒｍａｔｉｏｎ  ｔｅｃｈｎｏｌｏｇｙ）技術と多様な産業間の融合及び複合を介してスマートホーム、スマートビルディング、スマートシティ、スマートカーまたはコネクテッドカー、スマートグリッド、ヘルスケア、スマート家電、先端医療サービスなどの分野に応用されることができる。
【０００４】
一方、ＩｏＴ環境の一実施形態として、エネルギー効率は極大化しながら空間に存在する発熱客体の存否及び外気の温度によって温度を効率的に制御するための方法が必要である。
【０００５】
具体的に、単純に空間の温度が設定温度に合わせられるように冷暖房器を制御するのではなく、多様な要素を考慮してユーザが快適感を感じながらエネルギー消耗量は減少させるための発明の必要性が台頭した。
【発明の概要】
【発明が解決しようとする課題】
【０００６】
本発明が達成しようする技術的課題は、空間の密集度及び外気の温度のうちの少なくとも一つに基づいて前記空間の冷暖房を制御する電子装置及びその冷暖房制御方法を提供するものである。
【課題を解決するための手段】
【０００７】
本発明の一実施形態による電子装置の冷暖房制御方法は、第１時間の間の測定された温度変化に基づいて、温度変化率を決定する段階と、前記決定された温度変化率及び前記温度変化が測定された位置に対する位置情報に基づいて、第１密集度情報を獲得する段階と、及び前記第１密集度情報によって冷暖房を制御する段階と、を含むことができる。
【０００８】
一方、本発明の他の実施形態による冷暖房を制御する電子装置は、第１時間の間の測定された温度変化に基づいて、温度変化率を決定し、前記決定された温度変化率及び前記温度変化が測定された位置に対する位置情報に基づいて、第１密集度情報を獲得し、前記第１密集度情報によって冷暖房を制御する制御部を含むことができる。
【発明の効果】
【０００９】
本発明の実施形態によれば、電子装置は空間の密集度及び外気の温度のうちの少なくとも一つに基づいて効率的に冷暖房を制御することができるようになる。
【図面の簡単な説明】
【００１０】
【図１】本発明の一実施形態による冷暖房制御システムを示す図面である。
【図２】密集度による温度上昇率を示すグラフである。
【図３ａ】本発明の一実施形態によって外気の温度、空間の現在温度及び温度変化率を測定して記憶する方法を示すフローチャートである。
【図３ｂ】本発明の一実施形態によって外気の温度、空間の現在温度及び温度変化率を測定して記憶する方法を示すフローチャートである。
【図４ａ】本発明の一実施形態によって密集度を決定して前記決定された密集度によって冷暖房を制御する方法を示すフローチャートである。
【図４ｂ】本発明の一実施形態によって密集度を決定して前記決定された密集度によって冷暖房を制御する方法を示すフローチャートである。
【図５】本発明の一実施形態によって空間の識別情報を確認することができる場合、密集度は決定して前記決定された密集度によって冷暖房を制御する方法を示すフローチャートである。
【図６】本発明の一実施形態によって、空間の識別情報を確認することができるか、確認することができない場合、密集度を決定して前記決定された密集度によって冷暖房を制御する方法を示すフローチャートである。
【図７】本発明の一実施形態によって使用率を決定する方法を示すフローチャートである。
【図８】本発明の一実施形態によってセットバック温度を設定する方法を示すフローチャートである。
【図９ａ】冷暖房制御による温度変化率を示すグラフである。
【図９ｂ】冷暖房制御による温度変化率を示すグラフである。
【図１０】本発明の一実施形態によって、複数個の冷暖房装置が存在する場合を示す図面である。
【図１１】本発明の一実施形態によって、複数個の冷暖房装置が存在する場合、冷暖房制御領域を設定する方法を説明するための図面である。
【図１２】本発明の一実施形態によって、複数個の冷暖房装置が存在する場合、冷暖房制御領域を設定する方法を示すフローチャートである。
【図１３】本発明の一実施形態によって、空間の冷暖房を制御する電子装置の構成要素を示すブロック図である。
【図１４】本発明の一実施形態によって、電子装置が冷暖房器をファンモード（ｆａｎｍｏｄｅ）で制御する方法を示すフローチャートである。
【図１５】本発明の一実施形態によって、電子装置が冷暖房器を換気モードで制御する方法を示すフローチャートである。
【図１６】本発明の一実施形態によって、複数個の冷暖房装置が存在する空間に、密集度が０を超過する位置が複数個の場合、冷暖房制御領域を設定する方法を示すフローチャートである。
【図１７ａ】本発明の一実施形態によって、密集度が０を超過する位置が複数個検出され、複数個の冷暖房装置が存在する空間を示す図面である。
【図１７ｂ】本発明の一実施形態によって、密集度が０を超過する位置が複数個検出され、複数個の冷暖房装置が存在する空間を示す図面である。
【図１７ｃ】本発明の一実施形態によって、密集度が０を超過する位置が複数個検出され、複数個の冷暖房装置が存在する空間を示す図面である。
【発明を実施するための形態】
【００１１】
本実施形態は多様な変換を加えることができ、様々な実施形態を有することができるところ、特定実施形態を図面に例示し、詳細な説明に詳しく説明しようとする。しかし、これは特定の実施形態に対して範囲を限定しようとするのではなく、開示された思想及び技術範囲に含まれるすべての変換、均等物乃至代替物を含むことで理解されなければならない。実施形態を説明するにおいて関連する公知技術に対する具体的な説明が要旨を不明瞭にすることができると判断される場合、その詳細な説明を省略する。
【００１２】
第１、第２などの用語は多様な構成要素を説明するのに用いられることができるが、構成要素は用語によって限定されてはいけない。用語は一つの構成要素を他の構成要素から区別する目的だけで用いられる。
【００１３】
本発明において用いた用語は、ただ特定の実施形態を説明するために用いられたことで、権利範囲を限定しようとする意図ではない。単数の表現は文脈上、明白に相違するように意図しない限り、複数の表現を含む。本出願において、“含む”または“構成される”などの用語は明細書上に記載した特徴、数字、段階、動作、構成要素、部品またはこれらを組み合わせたのが存在することを指定しようとするものであって、一つまたはその以上の他の特徴や数字、段階、動作、構成要素、部品またはこれらを組み合わせたものなどの存在または付加可能性を予め排除しないことで理解されなければならない。
【００１４】
実施形態において‘モジュール’又は‘部’は、少なくとも一つの機能や動作を行い、ハードウェアまたはソフトウェアで具現されたりハードウェアとソフトウェアの結合で具現されることができる。また、複数の‘モジュール’又は複数の‘部’は特定のハードウェアで具現される必要がある‘モジュール’又は‘部’を除いては少なくとも一つのモジュールに一体化されて少なくとも一つのプロセッサ（図示せず）で具現されることができる。
【００１５】
図１は、本発明の一実施形態による、冷暖房制御システム１００を示す図面である。具体的に、図１は本発明の一実施形態によって、多様な機能のための空間に区分される一つの建物及びこのような建物の冷暖房器を制御する冷暖房制御システムを示す図面である。
【００１６】
例えば、図１に示されたように、建物の冷暖房システムを制御するための制御装置１１０が存在することができる。図１は、一つの制御装置１１０に対して示されているが、これは一実施形態に過ぎないだけ、建物またはシステムの規模または前記建物、或はシステムの制御方法によって、一つ以上の電子装置が存在することができることを勿論である。
【００１７】
また、制御装置１１０は、各種情報を記憶するための記憶部を含むことができる。または制御装置１１０は各種情報を記憶している別途の記憶サーバーと通信を行うこともできる。
【００１８】
食堂、ロビー、事務室などに区分された建物は各区分された空間の冷暖房装置を制御するための制御装置１１０から制御コマンドを受信し、前記各区分された空間の環境に対する情報を制御装置１１０へ送信するためのゲートウェー（ｇａｔｅｗａｙ、ＧＷ）のような電子装置１１１乃至１１８）を含むことができる。
【００１９】
一方、本発明の他の実施形態によって、冷暖房装置を制御するための制御装置１１０が各区分された空間ごとに存在することができる。そして、各制御装置１１０はシステム１００のサーバーから情報を受信し、前記受信された情報によって各空間の冷暖房システムを制御することもできる。
【００２０】
具体的に本発明では冷暖房を制御するための空間の密集度及び前記空間の外気の温度のうちの少なくとも一つによって、冷暖房を制御する方法に対して説明する。
【００２１】
図２に示されたように、一般的に夏季には冷房をしない場合、経時によって空間の温度が上昇するようになる。この時、前記空間内に発熱する客体の数が増加することによって前記空間温度の上昇率が大きくなることができる。
【００２２】
以下では、電子装置が制御する空間の面積に対し、発熱客体が占める割合に対する情報を密集度情報で定義する。例えば、発熱客体は人であっても良い。したがって、空間の密集度は前記空間内に存在する人の数に比例することができる。また、空間の密集度は前記空間に最大で存在することができる人の数に対する現在存在する人の数の割合に対する情報であっても良い。
【００２３】
発熱客体が人であることは一実施形態に過ぎないだけ、使用時の発熱する各種装置であっても良い。例えば、家庭に存在する発熱客体は人だけではなく冷蔵庫、ＴＶ、音響機器または照明などを含んでも良い。
【００２４】
大きさが定められた任意の空間の温度は一般的な夏に、図２に示されたように、密集度がａ（２００）からｃ（２２０）に大きくなることによって温度上昇率も高くなる。
【００２５】
また、密集度がａ（２００）である場合より密集度がｃ（２２０）である場合には、冷房によって空間の温度が下がることも多くの時間が必要となる。
【００２６】
一方、密集度だけではなく、空間の状況及び外部空気の温度（外気の温度）も空間の温度上昇率に影響を及ぼすことができる。例えば、コンクリート壁から構成された空間とガラス壁から構成された空間は温度変化率が相違することができる。または、同一に２１度と設定されて冷暖房が稼動中の空間でも、外気の温度が２０度の場合より外気の温度が３０度の場合に設定された温度である２１度に到逹するまでより多い時間及びエネルギーを消費するようになる。
【００２７】
一方、一般的な冬季には、暖房をしない場合、時間が経時によって空間の温度が下降するようになる。この時、前記空間内に発熱する客体の数が増加することによって前記空間温度の下降率が低くなることができる。したがって、冬季には前記密集度が低いほど暖房によって空間の温度が上がることも少ない時間が必要となる。したがって、本発明においては空間の密集度、空間の状況及び外気の温度のうちの少なくとも一つを考慮し、前記空間の冷暖房を制御する方法に対して具体的に説明する。図３ａ及び図３ｂは、本発明の一実施形態によって、外気の温度、空間の現在温度及び温度変化率を測定して記憶する方法を示すフローチャートである。
【００２８】
具体的に、図３ａは各空間の存在する電子装置がデータを記憶する方法を説明するためのフローチャートである。
【００２９】
先ず、段階Ｓ３００で、空間の冷暖房を制御する電子装置は空間内の温度を検出することができる。例えば、電子装置は温度センサーなどを含むことができる。そして、前記温度センサーなどを用いて空間内の温度を検出することができる。電子装置は前記空間の面積によって複数個の温度センサーを予め設定された間隔で含むこともできる。
【００３０】
段階Ｓ３０５で、電子装置は検出された温度と設定温度が同一であるか否かを判断することができる。同じではない場合、段階Ｓ３１０で、電子装置は予め設定された時間の間の温度変化を測定することができる。これにより、電子装置は温度変化率を決定することができる。
【００３１】
そして、段階Ｓ３１５で、電子装置は外気の温度を検出することができる。電子装置は現在温度、温度変化率（例えば、現在温度から予め設定された時間の間の変化した温度）及び検出された外気の温度をマッピングして記憶することができる。
【００３２】
したがって、段階Ｓ３２０で電子装置は前記外気の温度、検出された温度及び温度変化率をマッピングして記憶することができる。
【００３３】
または、電子装置は前記外気の温度、検出された温度及び温度変化率を密集度情報などとマッピングして記憶することもできる。
【００３４】
例えば、各空間の電子装置は前記データを収集する間の前記空間内の人の数を検出することができる。実施形態によって、前記空間が別途の識別情報を入力してから入室することができる空間であれば（例えば、会社の事務室または会議室など）前記入力された識別情報によって電子装置は前記空間内に存在する人の数が検出する。
【００３５】
本発明のまた他の実施形態によって、電子装置は別途のセンサーを備え、人または人が所持したモバイル装置から検出することができる情報を用いて人の数を予測することもできる。
【００３６】
上述した方法などにより、人の数を判別した電子装置は前記外気の温度、検出された温度及び温度変化率と、この時の人の数（密集度情報）を共にマッピングして記憶することができる。
【００３７】
一方、図３ｂは、各空間の存在する電子装置がデータを制御装置に送信し、記憶する方法を説明するための図面である。
【００３８】
先ず、段階Ｓ３２５で、電子装置３０００は上述したように空間内温度を検出することができる。そして、段階Ｓ３３０で、電子装置３０００は検出された温度に対する情報を制御装置３１００へ送信することができる。
【００３９】
制御装置３１００は、各空間に存在する電子装置から情報を受信し、各電子装置で冷暖房装置を制御するためのコマンドを送信したり冷暖房装置で直接制御コマンドを送信するための装置である。例えば、制御装置３１００は建物ごとに存在することができる。
【００４０】
段階Ｓ３３５で、制御装置３１００は受信した温度に対する情報を記憶することができる。
【００４１】
段階Ｓ３４０で、電子装置３０００が空間の環境に対する情報を獲得することができる。環境に対する情報は前記電子装置３０００が存在する空間の環境に対する各種情報を含むことができる。
【００４２】
第１に、環境に対する情報は空間内の機器使用情報を含むことができる。空間内にコンピューター、プリンター、コピー機、ＴＶ、冷蔵庫または照明装置のような機器が多いあるほど発熱量が増加して空間の温度上昇率が増加することができる。
【００４３】
したがって、電子装置３０００は空間の温度を上昇させる要因で、空間内の機器使用情報を獲得することができる。
【００４４】
例えば、電子装置３０００は前記空間のエネルギー使用量を測定することができる。そして、電子装置３０００は前記測定したエネルギー使用量の平均値で前記空間内に存在する電子製品の個数を予測することができる。
【００４５】
または、前記空間を用いるユーザが直接用いる機器の個数に対する情報を電子装置３０００に入力することも可能である。
【００４６】
一方、ホームネットワーク技術の発達で空間内に存在する機器は一つのネットワークで接続されることができる。したがって、空間のネットワークに接続した機器の個数で、電子装置３０００が空間の機器の個数に対する情報を獲得することもできる。
【００４７】
第２に、環境に対する情報は空間の状況情報を含むことができる。例えば、空間が事務室の場合、勤務者の出勤、勤務者の退勤、掃除時間、外部者の訪問のような情報を獲得することができる。具体的に、事務室に備えれた出退勤装置から電子装置は勤務者の出勤、退勤情報を獲得することができる。また、ユーザの入力によって、電子装置が勤務者の出勤、退勤、掃除、外部者の訪問などの情報を獲得することもできる。
【００４８】
第３に、環境に対する情報は空間の外部状況情報を含むことができる。例えば、電子装置は外気の温度を含めて、日、雪、雨、風のような天気情報を獲得することができる。
【００４９】
段階Ｓ３４５で、電子装置３０００は上述したような多様な環境に対する情報を制御装置３１００へ送信することができる。そして、段階Ｓ３５０で、制御装置３１００は電子装置３０００から受信した空間の環境に対する情報を記憶することができる。
【００５０】
段階Ｓ３５５で、電子装置３０００は予め設定された時間の間の温度変化量を検出することができる。例えば、電子装置３０００は少なくとも一つの温度センサーを用い、空間の温度変化量を検出することができる。
【００５１】
そして、段階Ｓ３６０で、電子装置３０００は検出された温度変化量に対する情報を制御装置３１００へ送信することができる。例えば、電子装置３０００は１０分間の前記空間の温度が２度変わったことを検出した場合、電子装置３０００は分当たり温度変化率が０．２度という情報を制御装置３１００へ送信することができる。
【００５２】
段階Ｓ３６５で、制御装置３１００は温度変化量に対する情報を受信した温度に対する情報及び受信した空間の環境に対する情報とマッチングして記憶することができる。制御装置３１００は複数個の電子装置から上述した情報を受信することができる。したがって、制御装置３１００は空間別で前記空間の環境に対する情報と温度変化率に対する情報をマッチングして記憶することができる。制御装置３１００は内部に記憶部を含んで上述した情報を記憶することができるが、これは一実施形態に過ぎないだけ、制御装置３１００は別途の記憶サーバーにデータを記憶することもできる。
【００５３】
一方、本発明のまた他の実施形態によれば、上述した電子装置または制御装置は冷暖房装置を稼動しながら発生する温度の変化に対する情報も共にマッピングして記憶することができる。
【００５４】
電子装置が温度変化に対する情報を共にマッピングして記憶する場合を例で挙げる。電子装置は前記空間に最大に入室することができる人の数がｘ名であるが、入室した人の数が０．５ｘ名の場合、密集度を０．５で決定することができる。そして、電子装置は現在温度は２５度であり、外気の温度は３２度であることを検出することができる。この時、電子装置は密集度０．５で温度が基準時間１分内に急上昇して２７度になると、温度上昇率を分当たり２度で決定することができる。
【００５５】
２７度で冷房装置が‘最大’で稼動されて１０分後に設定温度２１度になると、電子装置は温度２５度、温度上昇率２度、外気の温度３２度、密集度０．５及び冷房“最大”で１０分間６度下降をマッピングして記憶することができる。
【００５６】
電子装置は記憶部を含むことができる。したがって、電子装置は記憶部に上述したマッピングされた情報を記憶することができる。
【００５７】
一方、電子装置は前記のように決定されたデータを上述したような制御装置へ送信することもできる。したがって、制御装置は後述するように空間の密集度、温度変化率または外気の温度のうちの少なくとも一つを判断し、判断結果によって冷暖房を制御する場合、前記記憶された情報を用いて冷暖房制御程度を決定し、冷暖房装置を制御するためのコマンドを電子装置に送信することができる。
【００５８】
図４ａは、本発明の一実施形態によって、電子装置が密集度を決定して前記決定された密集度によって冷暖房を制御する方法を示すフローチャートである。
【００５９】
段階Ｓ４００で、電子装置は空間内の温度を検出することができる。そして、段階Ｓ４０５で電子装置は予め設定された時間の間の温度変化を測定することができる。例えば、設定によって温度変化を測定する時間が１分で設定された場合、電子装置は１分間の温度がいくら変わったか測定することができる。
【００６０】
そして、段階Ｓ４１０で電子装置は測定された温度変化率とマッチングされるデータが存在するか否かを判断することができる。電子装置が上述した方法によって外気の温度、検出された温度及び温度変化率と密集度がマッピングされた情報を記憶する場合、電子装置は記憶されたデータから、測定された温度変化率とマッチングされるデータを検索することができる。
【００６１】
一致する情報が存在する場合、または誤差範囲が臨界範囲内の情報が存在する場合、電子装置は段階Ｓ４１５で前記空間の密集度を決定することができる。
【００６２】
例えば、電子装置は現在温度（温度変化の開始温度）は２５度であり、外気の温度は３２度であることを検出し、温度上昇率が１０分間２度であることを検出した。電子装置は現在温度が２５度であり、外気の温度が３２度の条件で、１０分間１度上昇すれば密集度が０．２であり、１．５度上昇すれば密集度が０．４であり、２度上昇すれば密集度が０．５という情報などを予め記憶してあり得る。したがって、電子装置は前記情報から、温度変化率が１０分間２度上昇したので密集度が０．５と判断することができる。
【００６３】
一方、現在温度（温度変化の開始温度）は１７度であり、外気の温度は０度であることを検出し、温度下降率が１０分間２度であることを検出した。電子装置は現在温度が１７度であり外気の温度が０度の条件で１０分間１分下降すると、密集度が０．５であり、１．５度下降すると、密集度が０．４であり、２度下降すると、密集度が０．２という情報などを予め記憶してあり得る。したがって、電子装置は前記情報から、温度変化率が１０分間２度下降したので、密集度が０．２と判断することができる。
【００６４】
そして、段階Ｓ４２０で電子装置は密集度によって冷暖房を制御することができる。例えば、電子装置は密集度に比例または反比例して冷暖房の強度を決定することができる。密集度が大きいほど空間内に存在する人の数が多いことで解釈することができるので、電子装置は密集度が大きいほど冷房の強度を強くするように制御することができる。一方、冬季には、電子装置は密集度が小さいほど空間の温度下降速度が高くなることで解釈することができるので、電子装置は密集度が小さいほど暖房の強度を強くするように制御することができる。
【００６５】
または、電子装置は前記空間に対し、各密集度で冷暖房装置を制御するための設定を予め記憶し、判断された密集度によって冷暖房装置を制御することもできる。
【００６６】
例えば、電子装置は密集度が０．５であり、外気の温度が３２度の場合、冷房を“最大”で稼動しなければならないという情報を記憶部から獲得することができる。そして、電子装置は獲得した情報によって冷房を“最大”で稼動することができる。
【００６７】
一方、電子装置は前記各密集度で冷暖房装置を制御するための設定を別途の制御装置または記憶サーバーから受信することもできる。例えば、電子装置は密集度０．５及び外気の温度３２度に対する情報などを制御装置または記憶サーバーに送信することができる。そして、電子装置は制御装置または記憶サーバーから密集度０．５及び外気の温度３２度では冷房を“最大”で稼動しなければならないという制御コマンドを受信することができる。電子装置は受信された制御コマンドに従って冷房器を制御することができる。
【００６８】
一方、電子装置は密集度が０．５であり、外気の温度が０度の場合、暖房を“中弱”で稼動しなければならないという情報を記憶部から獲得することができる。そして、電子装置は獲得した情報によって冷房を“中弱”で稼動することができる。
【００６９】
一方、電子装置は前記各密集度で冷暖房装置を制御するための設定を別途の制御装置または記憶サーバーから受信することもできる。例えば、電子装置は密集度０．５及び外気の温度０度に対する情報などを制御装置または記憶サーバーに送信することができる。そして、電子装置は制御装置または記憶サーバーから密集度０．５及び外気の温度３２度では冷房を“中弱”で稼動しなければならないという制御コマンドを受信することができる。電子装置は受信された制御コマンドに従って冷房器を制御することができる。
【００７０】
以下では、夏季を基準で密集度が高くなることによって温度上昇率が増加することを前提に説明する。しかし、これは一実施形態に過ぎないだけ、以下の内容は冬のようなシーズンには、密集度が高くなることによって温度下降率が減少することで解釈されることができる。
【００７１】
一方、図４ｂは、本発明のまた他の実施形態によって、電子装置が制御装置から密集度情報を獲得する方法を示すシーケンス図である。
【００７２】
段階Ｓ４２５で、電子装置４０００は空間内の温度を検出することができる。そして、段階Ｓ４３０で、電子装置４０００は予め設定された時間の間の温度変化を測定することができる。
【００７３】
段階Ｓ４３５で、電子装置４０００は検出された温度及び温度変化率に対する情報を制御装置４１００に送信することができる。制御装置４１００は各空間に存在する電子装置から情報を受信し、各電子装置で冷暖房装置を制御するためのコマンドを送信したり冷暖房装置で直接制御コマンドを送信するための装置である。例えば、制御装置４１００は建物ごとに存在することができる。
【００７４】
制御装置４１００は各空間内の温度、温度変化率、外気の温度及び密集度に対する情報をマッピングして記憶する記憶部を含むことができる。または、制御装置４１００は上述した情報をマッピングして記憶する別途の記憶サーバーと通信を行うことができる。
【００７５】
したがって、段階Ｓ４４０で、制御装置４１００は記憶部または外部の記憶サーバーから、電子装置から受信した温度及び温度変化率に対応する密集度情報を検索することができる。そして、段階Ｓ４４５で、制御装置４１００は電子装置４０００で検索された密集度情報を送信することができる。
【００７６】
段階Ｓ４５０で、電子装置４０００は受信した密集度情報に基づいて空間の冷暖房を制御することができる。
【００７７】
前述したように、電子装置４０００は密集度情報だけではなく、決定された密集度情報に対応する冷暖房制御コマンドを制御装置４１００から共に受信することもできる。
【００７８】
図５は、本発明の一実施形態によって、空間の識別情報が確認することができる場合、密集度を決定して前記決定された密集度によって冷暖房を制御する方法を示すフローチャートである。
【００７９】
前述した方法によって、電子装置がマッピング情報を記憶する時、前記電子装置が冷暖房を制御する空間に対する識別情報を共にマッピングして記憶することができる。例えば、電子装置は空間の識別アイディー、外気の温度、検出された温度及び温度変化率と密集度情報を共にマッピングして記憶することができる。
【００８０】
同じ建物内に位置した空間でも、前記空間が会議室か食堂かなどによって人の数に従って変わる温度変化率が相違することができる。したがって、空間によって相違する冷暖房制御情報を獲得するため、電子装置は空間に対する識別情報を上述した温度に対する情報及び密集度情報とともにマッピングして記憶することができる。
【００８１】
段階Ｓ５００で電子装置は空間に対する識別情報を制御装置または記憶サーバーに送信することができる。例えば、電子装置は前記空間に対するＩＤを制御装置または記憶サーバーに送信することができる。
【００８２】
空間に対するＩＤを受信した制御装置または記憶サーバーは前記ＩＤに対応する空間での密集度情報、及びこれとマッピングされた温度に対する情報を検索することができる。そして、制御装置または記憶サーバーは前記検索された密集度情報及びこれとマッピングされた温度に対する情報を電子装置に送信することができる。
【００８３】
したがって、段階Ｓ５１０で、電子装置はサーバーから温度変化率による密集度情報を受信することができる。
【００８４】
受信された情報に基づいて段階Ｓ５２０で電子装置は空間の密集度を決定する。そして、段階Ｓ５３０で電子装置は前記密集度が０より大きいか判断することができる。
【００８５】
密集度が０より大きいということは、前記空間に人が１名以上存在することを示すことができる。したがって、電子装置は段階Ｓ５４０で、密集度によって空間の冷暖房を制御することができる。
【００８６】
具体的に、制御装置または記憶サーバーはＡ空間に対する空間ＩＤを受信した場合、Ａ空間では外気の温度が２８度であり、密集度が０．１〜０．２の場合、冷房の強度を“中弱”で制御し、密集度が０．３の場合、冷房の強度を“中”で制御し、密集度が０．５の場合、冷房の強度を“強”で制御し、外気の温度が２８度であり、密集度が０．６〜０．８の場合、冷房の強度を“最強”で制御するという情報を検索し、前記検索された情報を電子装置に送信することができる。
【００８７】
前記のような情報を受信した電子装置は密集度が０より大きいので密集度を判断し、判断された密集度及び受信した情報を用いて空間の冷暖房を制御することができる。
【００８８】
電子装置が密集度情報を確認することができない場合、図４ａ及び図４ｂで説明したような方法で密集度を先ず決定し、決定された密集度及び前記受信した情報を用いて空間の冷暖房を制御することもできる。
【００８９】
一方、密集度が０の場合、前記空間に人が１名も存在しないことを示すことができる。したがって、電子装置は段階Ｓ５５０で、セットバック（ｓｅｔｂａｃｋ）  温度を計算することができる。セットバック温度は人が存在しない空いた空間に対し、人がさらに存在する時、快適な温度になることができるようにするために設定する温度を意味することができる。快適な温度は人が快適さを感じることができる温度を意味することができる。快適さは気温、相対湿度、風、日射量など多くの気候要素と心理的要因などの要因が総合的に作用して人が感じる程度であっても良い。例えば、気温が２２度で且つ湿度が６５％程度である時、快適さを感じる条件が満足したことでみなす。ただ、前記のような快適さを感じるための多様な要素の中で、本願発明では前記快適さは温度の影響を最も大きく受けることを前提として説明する。
【００９０】
そして、段階Ｓ５６０で、電子装置はセットバック温度によって空間の冷暖房器を制御することができる。密集度が０と判断され、セットバック温度を設定する具体的な方法は後述する。
【００９１】
上述したように空間に対する識別情報をサーバーに送信して密集度に対する情報を受信する方法は前記空間が密閉された空間である時、主に用いられることができる。
【００９２】
空間に対する識別情報を検出しないか、空間が開放された空間であるので識別情報で示すことができない場合、図６のような方法によって電子装置は空間の冷暖房を制御することができる。
【００９３】
段階Ｓ６００で、電子装置は空間内の温度変化率を決定することができる。例えば、設定によって温度変化を測定する時間が１分で設定された場合、電子装置は１分間温度がいくら変わったのか測定することができる。
【００９４】
そして、段階Ｓ６１０で電子装置は制御装置または記憶サーバーから温度変化率に対応する密集度情報を受信することができる。前述したような方法によって、電子装置は制御装置または記憶サーバーに記憶された外気の温度、検出された温度及び温度変化率と密集度がマッピングされた情報から、現在検出された外気の温度、現在温度及び温度変化率と一致される情報が存在するか判断することができる。
【００９５】
段階Ｓ６２０で、電子装置は空間の密集度を決定することができる。電子装置が検出した各種温度に対する情報を制御装置または記憶サーバーに送信すると、前記制御装置または記憶サーバーは予め記憶された情報から受信された各種情報とマッチングされたり誤差範囲内に存在する密集度情報を獲得することができる。
【００９６】
電子装置は現在温度（温度変化の開始温度）は２５度であり、外気の温度は３２度であることを検出し、温度上昇率が２度であることを検出し、検出した情報を制御装置または記憶サーバーに送信した場合を例で挙げる。電子装置または制御サーバーは予め記憶された情報から受信した温度に対する情報に対応する密集度を検索し、密集度を０．５で決定することができる。
【００９７】
段階Ｓ６３０で、電子装置は密集度が０より大きいか判断することができる。上述した例示によって、密集度が０．５の場合、電子装置は密集度が０を超過することで判断することができる。したがって、段階Ｓ６４０で、電子装置は密集度によって制御する領域を決定することができる。
【００９８】
例えば、電子装置は人が所持したことで予測されるモバイル装置の信号強度をセンシングすることができる。そして、電子装置は信号強度がしきい値以上の領域を前記密集度によって制御する領域で決定することができる。
【００９９】
したがって、電子装置は信号強度がしきい値以上の領域を制御対象領域で設定し、前記決定された制御対象領域の密集度を受信された密集度０．５で決定することができる。
【０１００】
そして、段階Ｓ６５０で、電子装置は決定された領域に対応する冷暖房器を制御することができる。具体的に、制御装置または記憶サーバーは現在温度（温度変化の開始温度）は２５度であり、外気の温度は３２度の場合、密集度が０．１〜０．２の場合、冷房の強度を“中弱”で制御し、密集度が０．３の場合、冷房の強度を“中”で制御し、密集度が０．５の場合、冷房の強度を“強”で制御し、外気の温度が２８度であり、密集度が０．６〜０．８の場合、冷房の強度を“最強”で制御するという情報を検索し、前記検索された情報を電子装置で送信することができる。
【０１０１】
前記のような情報を受信した電子装置は判断された密集度及び受信した情報を用いて空間の冷暖房を制御することができる。
【０１０２】
一方、電子装置は密集度だけではなく空間の環境情報による冷暖房制御コマンドを制御装置または記憶サーバーから受信することができる。または、電子装置が別途の記憶部を含む場合、予め記憶されたデータから環境情報によって冷暖房を制御することもできる。
【０１０３】
例えば、電子装置が空間のエネルギー使用量を測定したりネットワークに接続した機器の個数をカウンティングして獲得した機器の個数が多いほど、電子装置は冷房の強度を強くようにし、暖房の強度を弱くするように冷暖房器を制御することができる。
【０１０４】
また、事務室のような空間で、勤務者の出勤情報が入力された場合、電子装置は空間の温度が適正温度範囲内に該当するように冷暖房を制御するコマンドを獲得することができる。または、電子装置に勤務者の出勤時間に対する情報が予め入力された場合、電子装置は勤務者の出勤の前に空間の温度が適正温度範囲内に該当するように冷暖房を制御することもできる。
【０１０５】
一方、勤務者の退勤情報が入力された場合には、電子装置は空間の温度を適正温度を外れても冷暖房を行わないように制御することができる。
【０１０６】
または、会議室のような空間で、会議スケジュールが予め入力された場合、電子装置は密集度が０の場合でも会議スケジュールによって冷暖房器を制御し、会議時間に適正温度に到逹するように設定することができる。
【０１０７】
空間を掃除する時間という情報が入力されると、電子装置は冷暖房器の換気モードにオン（ｏｎ）するように制御することができる。
【０１０８】
また、電子装置は気象庁サーバーのような外部のサーバーから天気情報を獲得することができる。電子装置は外気の温度、及び雨、風のような状況情報を天気情報に受信することができる。例えば、雨という天気情報が受信されると、電子装置は冷暖房器の除湿モードを共に実行することができる。
【０１０９】
上述したような冷暖房制御コマンドは、電子装置から環境情報を受信した制御装置または記憶サーバーで生成されることもできる。したがって、電子装置は制御装置または記憶サーバーから冷暖房制御コマンドを受信し、上述したような冷暖房器制御を行うことができる。
【０１１０】
一方、段階Ｓ６３０での判断結果、密集度が０の場合、段階Ｓ６４０へ進行することができる。段階Ｓ６４０で電子装置はセットバック温度を計算し、段階Ｓ６５０で電子装置はセットバック温度によって空間の冷暖房器を制御することができる。密集度が０と判断され、セットバック温度を設定する具体的な方法は後述する。
【０１１１】
図７は、本発明の一実施形態によって使用率を決定する方法を示すフローチャートである。
【０１１２】
電子装置は記憶部に記憶されたデータまたはサーバーから受信する情報を用いて密集度を判断することができない場合、空間の使用率を類推し、前記類推した使用率を密集度に代えて用いることができる。
【０１１３】
先ず、段階Ｓ７００で、電子装置は特定時間の間の温度変化を検出することができる。そして、段階Ｓ７１０で電子装置は現在時間で温度変化率を決定することができる。
【０１１４】
例えば、電子装置は１分間の温度が２度上昇し、その結果、現在２７度という情報を検出することができる。
【０１１５】
段階Ｓ７２０で、電子装置は空間に対する最大温度変化率及び最小温度変化率を用いて現在時間で空間の使用率を決定することができる。具体的に、電子装置は制御装置または記憶サーバーから前記空間の最大温度変化率及び最小温度変化率と各温度変化率での密集度情報を獲得することができる。
【０１１６】
例えば、電子装置は前記空間で収集された情報によって、前記空間の最大温度変化率は５度であり、最小温度変化率は０．２度という情報を獲得することができる。この時、前記電子装置は前記最大温度変化率が５度である時を使用量１００と仮定し、前記最小温度変化率０．２度である時を使用量０と仮定することができる。
【０１１７】
したがって、電子装置は検出された温度変化率は２度であるので、前記情報から比例的な計算を介して現在空間の使用率は約４１．６７という情報を獲得することができる。
【０１１８】
前記のような方法によって、電子装置は前記類推した使用率を密集度に代えて用いることができる。例えば、電子装置は密集度が０．４２と決定することができる。
【０１１９】
一方、図８は本発明の一実施形態によってセットバック温度を設定する方法を示すフローチャートである。
【０１２０】
密集度または使用率が０と判断されたり、不在中という情報が入力されると、電子装置は後述する方法によりセットバック温度を設定することができる。
【０１２１】
先ず、段階Ｓ８００で、電子装置は空間に対する温度変化率を検出することができる。そして、段階Ｓ８１０で、電子装置は前記空間の外部の温度を検出することができる。
【０１２２】
段階Ｓ８２０で電子装置は記憶部または外部のサーバーから受信する情報を介して前記温度変化率及び外部の温度によって特定時間内に到達可能な少なくとも一つの温度を決定するこ  とができる。
【０１２３】
電子装置が１０分間の温度が２度上昇したことを検出し、現在の温度を２７度で検出し、現在午後２時２０分の場合を例で挙げる。
【０１２４】
電子装置は予め記憶された情報から冷房を“最大”で設定して１５分後に６度下降、“最大”で設定して１０分後に５．３度下降、“最大”で設定して５分後に２度下降、“最大”で設定して１分後に０．３度下降、“強”で設定して１０分後に３度下降、“強”で設定して５分後に１．５度下降、“中”で設定して１５分後に４度下降、“中”で設定して１０分後に１．７度下降、“中”で設定して５分後に１．２度下降、“弱”で設定して２０分後に１．２度下降、“弱”で設定して１５分後に２度下降、“弱”で設定して５分後に０．４度下降のような情報を受信することができる。
【０１２５】
段階Ｓ８３０で電子装置はターゲット時間によって前記少なくとも一つの温度に到逹するのに必要なエネルギー消耗量を計算することができる。ターゲット時間は電子装置に設定されたスケジュールによって決定されることができる。
【０１２６】
例えば、電子装置の制御する空間が会議室で、電子装置は今日第１会議の終了された時間が午後２時であり、第２会議は午後２時３０分に開始するという情報が入力されてあり得る。
【０１２７】
電子装置は２時１０分から２時２０分まで温度が２度上昇したことを検出したので、第２会議が開始する午後２時３０分まで冷房をしない場合、追加的な温度上昇があることで判断することができる。したがって、電子装置は第２会議が開始してユーザが入室しても快適さを感じるように前記会議室の冷暖房を制御するターゲット時間を２時３０分で決定することができる。
【０１２８】
具体的に、前記のように獲得した情報から電子装置は“最大”で設定して１０分後に５．３度下降する場合、予想温度は２１．７度であり、ユーザが快適さを感じる範囲で決定された‘ｃｏｍｆｏｒｔ  ｒａｎｇｅ’に該当する温度であり、この時、１０分間の消耗するエネルギー消耗量はａであることで決定することができる。
【０１２９】
この時、ｃｏｍｆｏｒｔ  ｒａｎｇｅは、人が快適さを感じることができる温度の範囲を意味することができる。具体的に、快適さは気温、相対湿度、風、日射量など多くの気候要素と心理的要因などの要因が総合的に作用して人が感じる程度であることができる。例えば、気温が２２度で且つ湿度が６５％ほどである時、快適さを感じる条件が満足されたことで見なす。前記ｃｏｍｆｏｒｔ  ｒａｎｇｅは前記のような快適さを感じるための多様な要素の中でも温度の範囲を具体化したことを意味することができる。
【０１３０】
そして、電子装置は“強”で設定して１０分後に３度下降する場合、予想温度は２４度であり、ユーザが快適さを感じる範囲で決定された‘ｃｏｍｆｏｒｔ  ｒａｎｇｅ’に該当する温度であり、この時、１０分間の消耗するエネルギー消耗量はｂであることで決定することができる。
【０１３１】
一方、電子装置は“中”で設定して１０分後に１．７度下降する場合、予想温度は２５．３度であり、‘ｃｏｍｆｏｒｔ  ｒａｎｇｅ’に該当する温度ではないことで判断されると、エネルギー消耗量を計算しないこともある。
【０１３２】
また、電子装置は“中”で設定して５分後に１．２度下降して“最大”で５分間さらに冷房すれば追加的に２度がさらに下降して２３．８度となり‘ｃｏｍｆｏｒｔ  ｒａｎｇｅ’に該当する温度であり、この時、１０分間の消耗するエネルギー消耗量はｃであることで決定することができる。
【０１３３】
上述したように、電子装置は多様な冷房の強度及び冷房時間によるエネルギー消耗量を計算することができる。そして、段階Ｓ８４０で、電子装置はエネルギー消耗量を最小化するための温度を決定することができる。
【０１３４】
例えば、上述した例示でエネルギー消耗量ａ、ｂ及びｃのうちの最も小さい値がｂと仮定する。電子装置はエネルギー消耗量が少なく、ユーザが快適さを感じる‘ｃｏｍｆｏｒｔ  ｒａｎｇｅ’に該当する温度である２４度をセットバック温度で決定することができる。
【０１３５】
段階Ｓ８５０で電子装置は前記決定された温度に到逹するように冷暖房器を制御することができる。上述したように、ｂが最も小さい値の場合、電子装置はたとえ密集度が０の場合でも、ターゲット時間、２時３０分に空間の温度がセットバック温度２４度に到逹するため、２時２０分から１０分間の冷房器を“強”で制御することができる。
【０１３６】
一方、図９ａ及び図９ｂは、冷暖房制御による温度変化率を示すグラフである。
【０１３７】
本発明の一実施形態によって、図９ａ及び図９ｂに示された‘ｃｏｍｆｏｒｔ  ｒａｎｇｅ’はユーザが快適さを感じる範囲を示す。
【０１３８】
図９ａは、密集度が高いにもかかわらず密集度を考慮せず冷暖房を稼動する実施形態の温度変化率を示すグラフである。密集度を考慮せず温度上昇によって冷房を稼動し、温度下降によって冷房を中断したり暖房を稼動すると、図９ａのグラフ（９１０のように‘ｃｏｍｆｏｒｔ  ｒａｎｇｅ’を外れる温度になることができる。
【０１３９】
一方、前述した方法によって密集度及び外気の温度のうちの少なくとも一つを考慮して空間の冷暖房を制御する場合、図９ｂに示されたように、空間の温度を‘ｃｏｍｆｏｒｔ  ｒａｎｇｅ’範囲内で制御することができるようになる。
【０１４０】
例えば、密集度が０より大きく、冷暖房制御によって空間の温度が前記‘ｃｏｍｆｏｒｔ  ｒａｎｇｅ’内であることで判断されると、電子装置は冷暖房機器の作動を終了するように制御することができる。
【０１４１】
そして、前記冷暖房機器の作動が終了されると、予め設定された時間の間の前記空間の温度に対する温度変化率及び外部の温度を検出することができる。
【０１４２】
前記空間の温度が前記‘ｃｏｍｆｏｒｔ  ｒａｎｇｅ’を外れることが検出されると、電子装置は前記冷暖房を制御するための機器の作動を再開することができる。
【０１４３】
電子装置は外部の温度及び密集度によって、上述したように冷暖房機器の作動を終了して開始することによる内部の温度変化率を測定し、前記測定された結果を前記電子装置内部の記憶部に記憶するか、サーバーに送信することができる。
【０１４４】
そして、上述した方法によって記憶されたデータによって、電子装置は決定された密集度及び測定された外部の温度により空間の温度が‘ｃｏｍｆｏｒｔ  ｒａｎｇｅ’を外れないように制御することができる。一方、図１０は本発明の一実施形態によって、複数個の冷暖房装置が存在する場合を示す図面である。例えば、電子装置の制御する空間が事務室の場合、事務室天井に市されたように第１冷暖房装置１００１乃至第２４冷暖房装置１０２４が一定の間隔に配置されることができる。
【０１４５】
図１１は、図１０に示されたように複数個の冷暖房装置が存在する場合、冷暖房制御領域を設定する方法を説明するための図面である。
【０１４６】
図１１の図面符号１１００は密集度が０超過に検出された位置を示す。比較的広い事務室のような空間で一位置で密集度が０を超過して残り領域は０の場合、電子装置が全体冷暖房装置１００１乃至１０２４を稼動すれば効率性が落ちる。
【０１４７】
したがって、電子装置は密集度が０を超過することで検出された第１位置１１１０に対して冷暖房を制御し、制御結果によって、冷暖房制御の対象となる領域を第２位置１１２０に変更することもできる。
【０１４８】
具体的に、図１２のフローチャートを参照して説明する。先ず、段階Ｓ１２００で、電子装置は第１位置の密集度が０を超過するか否かを判断することができる。判断結果、第１位置の密集度が０を超過すると、段階Ｓ１２１０で電子装置は第１位置に対応する冷暖房器を制御することができる。具体的に、前述したように第１位置の温度変化率及び外気の温度のうちの少なくとも一つを検出し、記憶部またはサーバーから前記検出された温度変化率及び外気の温度のうちの少なくとも一つに対する情報を受信して密集度を判断することができる。そして、電子装置は判断された密集度によって前記第１位置に対応する冷暖房器を制御することができる。
【０１４９】
そして、段階Ｓ１２２０で、前記第１位置の温度変化率を検出し、段階Ｓ１２３０で、前記検出された温度変化率によって、前記第１位置の温度がターゲット温度範囲を外れるか否かを判断することができる。例えば、ターゲット温度範囲は前述したような‘ｃｏｍｐｏｒｔ  ｒａｎｇｅ’であっても良い。またはターゲット温度範囲はユーザによる設定温度であっても良い。
【０１５０】
一方、判断結果、第１位置の温度変化に従って前記第１位置の温度がターゲット温度範囲内に該当しない場合、電子装置は段階Ｓ１２４０で、電子装置は第１位置を含む第２位置に対応する冷暖房器を制御することができる。
【０１５１】
具体的に、電子装置は第１位置の温度変化に従って前記第１位置の温度がターゲット温度範囲内にあたらない場合、第１位置の密集度が高くてより多い個数の冷暖房装置を稼動してから前記第１位置の温度を制御することができることで判断することができる。
【０１５２】
したがって、第１位置の温度変化に従って前記第１位置の温度がターゲット温度範囲内に該当しない場合、電子装置は第１位置を含むより広い領域である第２位置に対応する冷暖房器を制御することができる。
【０１５３】
一方、図１６は本発明の他の実施形態によって、複数個の冷暖房装置が存在する空間で、密集度が０を超過する位置が第１位置及び第２位置で少なくとも２つ以上検出された場合の冷暖房器制御方法を示すフローチャートである。
【０１５４】
前述した方法によって第１位置及び第２位置で密集度が０を超過することで判断されると、段階Ｓ１６００で、電子装置は第１位置及び第２位置での共助が互いに影響を及ぼすか否かを判断することができる。
【０１５５】
例えば、図１７ａに示されたような空間１７００内部に密集度が０を超過する位置が第１位置１７１０及び第２位置１７２０で判断されると、電子装置は第１位置１７１０で冷暖房器が稼動される時、前記第２位置１７２０での温度変化率を検出し、互いに影響を及ぼすか否かを判断することができる。具体的に、電子装置は先ず、第１位置１７１０の冷暖房器の稼動を開始し、予め設定された時間（例えば、１分）  内に前記第２位置１７２０の温度が変わるか否かを判断することができる。この時、前記第２位置１７２０の温度が変わる場合、電子装置は前記第１位置１７１０及び第２位置１７２０での冷暖房器稼動が互いに影響を及ぼすことで判断することができる。
【０１５６】
さらには、電子装置は第２位置１７２０の冷暖房器の稼動を開始し、予め設定された時間内に前記第１位置１７１０の温度が変わる場合にも電子装置は前記第１位置１７１０及び第２位置１７２０での冷暖房器稼動が互いに影響を及ぼすことで判断することができる。
【０１５７】
したがって、前記第１位置１７１０及び前記第２位置１７２０での冷暖房器稼動が互いに影響を及ぼすことで判断されると、段階Ｓ１６０５で、電子装置は前記第１位置１７１０及び第２位置１７２０を含む共助グループを生成することができる。
【０１５８】
そして、段階Ｓ１６１０で、電子装置は前記共助グループを中心に予め設定された範囲内の冷暖房器を稼動することができる。例えば、電子装置は図１７ｂに示されたように、一つの共助グループと判断された第１位置１７１０及び第２位置１７２０で予め設定された距離以内に存在する冷暖房器１７３０を稼動することができる。
【０１５９】
さらに図１６に戻って説明すると、段階Ｓ１６１５で、前記冷暖房器１７３０の稼動によって、電子装置は前記共助グループの温度変化率を計算することができる。
【０１６０】
段階Ｓ１６２０で、前記温度変化率が予め設定された変化率と同一であるか否かを判断することができる。例えば、ターゲット温度が２３度で現在温度が２５度である場合、前記冷暖房器１７３０の冷房稼動によって、電子装置は前記共助グループの温度が１分当たり０．１度ずつ低くなっているということを判断することができる。この時、検出された温度変化率である分当たり０．１度が予め設定された変化率と同一である場合、電子装置は段階Ｓ１６２５へ進行して、現在稼動中の強度で前記予め設定された範囲内の冷暖房器を稼動することができる。
【０１６１】
一方、電子装置はターゲット温度及び現在温度によって、前記予め設定された変化率を調整することができる。  例えば、ターゲット温度及び現在温度の差が３度以下の場合、前記電子装置は変化率を分当たり０．１度で設定することができる。また、ターゲット温度及び現在温度の差が３度超過５度以下の場合には、前記電子装置は変化率を分当たり０．３度で設定することができる。そして、ターゲット温度及び現在温度の差が５度超７度以下の場合には、前記電子装置は変化率を分当たり０．６度で設定することもできる。言い換えれば、電子装置はターゲット温度及び現在温度の差が大きくなるほど、変化率が大きくなるように設定することができる。
【０１６２】
段階Ｓ１６２０で、前記温度変化率が予め設定された変化率と同じではないことで判断されると、段階Ｓ１６３０で、電子装置は前記温度変化率が予め設定された変化率を超過するか否かを判断することができる。前記検出された温度変化率が予め設定された変化率を超過するということは、前記共助グループの温度がターゲット温度を超える可能性が大きいというのを意味することができる。
【０１６３】
したがって、前記温度変化率が予め設定された変化率を超過する場合、電子装置は段階Ｓ１６３５で、稼動中の冷暖房器の中で最外郭冷暖房器の電源をオフ（ｏｆｆ）することができる。例えば、図１７ｂで、前記冷暖房器１７３０中で互いに距離が最も遠い図面符号１７４０に該当する冷暖房器の電源を電子装置はオフすることができる。一方、電子装置は前記冷暖房器１７４０の電源を一つずつ順次でオフすることもでき、いずれもｏｆｆすることもできる。前記図１７ｂに示された冷暖房器１７４０の電源をｏｆｆすることは一実施形態に過ぎないだけ、電子装置は稼動中の冷暖房器１７３０の個数が充分に多い場合には、前記冷暖房器１７３０の最外郭に存在する複数個の冷暖房器の電源のオフすることもできる。
【０１６４】
一方、前記温度変化率が予め設定された変化率を超過しない場合、言い替えれば、前記温度変化率が予め設定された変化率未満の場合には、電子装置は冷房または暖房がさらに必要なことで判断することができる。
【０１６５】
したがって、電子装置は段階Ｓ１６４０で、電源がオフされている冷暖房器のうちの稼動中の冷暖房器と近接した最も少なくても一つの冷暖房器電源をオン（ｏｎ）することができる。例えば、図１７ｂで、前記冷暖房器１７３０に隣接した図面符号１７５０に該当する冷暖房器の電源を電子装置はオン（ｏｎ）することができる。一方、電子装置は前記冷暖房器１７５０の電源を一つずつ順次でオン（ｏｎ）することもでき、一回に全部オンすることもできる。前記図１７ｂに示された冷暖房器１７５０の電源をｏｎすることは一実施形態に過ぎないだけ、電子装置は稼動中の冷暖房器１７３０の外側部分に位置した複数個の冷暖房器の電源をオン（ｏｎ）することもできる。
【０１６６】
前記段階Ｓ１６３５及び段階Ｓ１６４０動作を行いながら、電子装置は温度変化率を検出することができる。そして、段階Ｓ１６２０へ進行し、電子装置は検出された温度変化率が予め設定された温度変化率と同一であるか否かを判断しながら、上述した動作を繰り返すことができる。
【０１６７】
一方、段階Ｓ１６００での判断結果、前記第１位置１７１０及び第２位置１７２０が互いに影響を及ぼさないことで判断されると、電子装置は段階Ｓ１６４５へ進行して予め設定された範囲内の冷暖房器稼動することができる。前記予め設定された範囲内の冷暖房器は、前記第１位置１７１０で予め設定された距離以内及び前記第２位置１７２０で予め設定された距離以内をそれぞれを意味することができる。
【０１６８】
例えば、図１７ｃは第１位置１７１０及び第２位置１７２０が互いに影響を及ぼさない場合を示す図面である。具体的に、第１位置１７１０及び第２位置１７２０は第１位置１７１０に対応する冷暖房器を稼動して第２位置１７２０の温度変化率が０であるか、０を超過してもしきい値を越すことができなく、互いに影響を及ぼさないことで判断されることができる。
【０１６９】
この時、電子装置は前記第１位置１７１０で予め設定された距離以内に存在する少なくとも一つの冷暖房器１７１５を稼動することができる。同時に、電子装置は前記第２位置１７２０で予め設定された距離以内に存在する少なくとも一つの冷暖房器１７２５を稼動することができる。
【０１７０】
そして、段階Ｓ１６５０で、電子装置は前記第１位置１７１０の温度変化率を計算し、段階Ｓ１６２０以下の方法によって、前記第１位置１７１０を含む冷暖房器１７１５を制御することができる。
【０１７１】
また、電子装置は別個で、前記第２位置１７２０の温度変化率を計算し、段階Ｓ１６２０以下の方法によって、前記第２位置１７２０を含む冷暖房器１７２５を制御することができる。
【０１７２】
上述した方法によって、電子装置は複数個の冷暖房器が設置された空間に少なくとも１名の人が存在する場合、少なくとも一つの冷暖房器を用いて効率的に空間の温度を制御することができるようになる。
【０１７３】
一方、図１３は本発明の一実施形態によって、空間の冷暖房を制御する電子装置１３００の構成要素を示されたブロック図である。空間の冷暖房を制御する電子装置１３００は各区分された空間の冷暖房装置を制御するためのサーバーまたは制御装置から制御コマンドを受信し、前記各区分された空間の環境に対する情報をサーバーに送信するためのゲートウェイを含むことができる。
【０１７４】
電子装置１３００は通信部１３１０、温度測定部１３２０、記憶部１３３０及び制御部１３４０を含むことができる。
【０１７５】
通信部１３１０は、外部の記憶部、サーバーまたは冷暖房装置と有線または無線の方式で通信を行うことができる。具体的に、電子装置１３００は通信部１３１０を介して外部のサーバーから外気の温度、検出された温度及び温度変化率がマッピングされた情報を受信することができる。また、電子装置１３００は通信部１３１０を介して冷暖房装置で制御コマンドを送信することができる。
【０１７６】
温度測定部１３２０は、電子装置１３００が制御する空間または空間の外部温度を測定することができる。例えば、温度測定部１３２０は複数の温度センサーを含むことができる。したがって、電子装置１３００は温度測定部１３２０を介して空間、空間の一領域及び外気の温度を検出することができる。
【０１７７】
記憶部１３３０は、各種情報を記憶するための構成要素である。記憶部１３３０は図１３に示されたように電子装置１３００内に含まれることができるが、これは一実施形態に過ぎないだけ、電子装置１３００は外部の記憶サーバーまたはデータベース（ｄａｔａｂａｓｅ）を備え、前記記憶サーバーまたはデータベースに各種情報を記憶することもできる。
【０１７８】
一方、制御部１３４０は電子装置１３００を全般的に制御することができる。制御部１３４０は温度変化率決定部１３４１、密集度情報決定部１３４２及び冷暖房器制御部１３４３のような別途のハードウェアモジュールを少なくとも一つ含むことができる。しかし、これは一実施形態に過ぎないだけ、上述したようなモジュールはソフトウェア、アプリケーションまたはプログラムで具現されることもできる。
【０１７９】
制御部１３４０は、温度変化率決定部１３４１を介して予め設定された第１時間の間の温度変化を測定し、温度変化率を決定することができる。そして、制御部１３４０は密集度情報決定部１３４２を介して記憶部１３３０に記憶された温度変化率及び密集度情報から、前記決定された温度変化率に対応する第１密集度情報を決定することができる。
【０１８０】
制御部１３４０は冷暖房器制御部１３４３を介して前記決定された第１密集度情報によって、空間の冷暖房を制御することができる。例えば、制御部１３４０は通信部１３１０を介して冷暖房器を制御するための制御コマンドを送信することができる。
【０１８１】
この時、前記密集度情報は、前記電子装置が制御する空間に対し、発熱客体が占める割合に対する情報を意味することができる。本発明の一実施形態によって、発熱客体はユーザを意味することができる。しかし、これは一実施形態に過ぎないだけ、発熱客体は犬や猫のような動物、照明機器や電子製品のような電子装置を含んでも良い。
【０１８２】
一方、制御部１３４０は前記電子装置１３００が制御する空間に対する識別情報をサーバーに送信し、前記温度変化率を前記サーバーに送信するように前記通信部１３１０を制御することができる。
【０１８３】
そして、制御部１３４０は前記サーバーから前記識別情報及び前記温度変化率に基づいて判断された第２密集度情報を受信するように前記通信部１３１０を制御することができる。
【０１８４】
制御部１３４０は前記第２密集度情報によって、前記空間の冷暖房を制御することができる。
【０１８５】
一方、制御部１３４０は前記温度変化率をサーバーに送信し、前記サーバーから前記温度変化率に対応する第３密集度情報を受信するように前記通信部１３１０を制御することができる。そして、前記第３密集度情報が０より大きい場合、制御部１３４０は前記第３密集度情報によって冷暖房を制御するために少なくとも一つの冷暖房装置を決定し、前記決定に基づいて前記冷暖房を制御することができる。
【０１８６】
また、制御部１３４０は前記電子装置が制御する空間の密集度及び外部温度を検出し、基準時間の間の前記空間の温度変化を検出し、温度変化率を計算し、前記空間に対し、前記検出された密集度、外部温度及び前記計算された温度変化率をマッチングして前記記憶部１３３０に記憶することができる。
【０１８７】
一方、制御部１３４０は前記記憶部１３３０に記憶された密集度、外部温度及び前記温度変化率のマッチング情報に基づいて前記決定された温度変化率に対応する前記密集度情報を前記第１密集度情報で検出することができる。
【０１８８】
制御部１３４０は前記第１密集度情報の密集度が０の場合、前記電子装置が制御する空間の温度を検出し、前記検出された温度によって、予め設定された時間内に到逹することができる温度及び前記温度到達時エネルギー消費量情報を決定し、ターゲット時間及び前記エネルギー消費量情報に基づいて設定温度を決定することができる。
【０１８９】
また、制御部１３４０は予め設定された時間間隔で前記空間及び外気の温度を検出し、前記検出された前記空間及び外気の温度をサーバーに送信し、前記サーバーから、前記検出された前記空間及び外気の温度によって、予め設定された時間内に到逹することができる少なくとも一つの温度に対する情報を受信するように前記通信部１３１０を制御することができる。そして、制御部１３４０は前記受信された少なくとも一つの温度に到逹するために必要なエネルギー消耗量を計算し、ターゲット時間及び前記エネルギー消費量情報に基づいて設定温度を決定することができる。
【０１９０】
一方、制御部１３４０は前記第１密集度情報によって密集度が０より大きい場合、予め設定された時間の間の温度変化率及び外部の温度を検出し、前記温度変化率及び前記外部の温度に対する情報をサーバーに送信し、前記サーバーから、前記密集度、前記温度変化率及び前記外部の温度による冷暖房制御情報を受信するように前記通信部１３１０を制御することができる。  そして、制御部１３４０は前記受信された制御情報によって、冷暖房器を制御することができる。
【０１９１】
一方、制御部１３４０は密集度が０より大きい第１領域及び前記第１領域の温度を検出し、前記第１領域に対応する冷暖房器を制御し、前記第１領域の温度がターゲット温度から臨界温度以上の差があるか否かを判断し、前記判断結果、前記第１領域の温度がターゲット温度から臨界温度以上の差がある場合、前記第１領域を含む第２領域に対応する冷暖房器を制御することができる。
【０１９２】
上述したような電子装置によって、空間の密集度及び外気の温度を反映して效率的に空間の温度を制御することができるようになる。
【０１９３】
一方、図１４は本発明の一実施形態によって、電子装置が冷暖房器をファンモード（ｆａｎｍｏｄｅ）で制御する方法を示すフローチャートである。
【０１９４】
先ず、段階Ｓ１４００で、電子装置は冷暖房器の電源がオフ（ｏｆｆ）されたことを検出することができる。例えば、電子装置はユーザコマンドまたは設定によって冷暖房器の電源がオフされたことを検出することができる。
【０１９５】
段階Ｓ１４１０で、電子装置は電源オフ後に空間内の適正温度範囲を外れるのに所要される時間を測定することができる。設定によって空間の適正温度が１８度乃至２４度で設定され、電源オフ当時の温度が２０度であり、冬の場合を例で挙げる。空間を構成する壁が厚くて窓の個数が少なくて発熱可能性がある機器の数が多く密集度が高くて４０分ぶりに１８度より低くなったら、所要時間を４０分で測定することができる。
【０１９６】
そして、段階Ｓ１４２０で、電子装置は測定された時間が臨界時間を超過するか否かを判断することができる。例えば、臨界時間が３０分と仮定する。測定された所要時間が４０分で、臨界時間を超過したので、電子装置は段階Ｓ１４３０へ進行することができる。したがって、電子装置は冷暖房器のファンモード（ｆａｎ  ｍｏｄｅ）を作動開始するように制御することができる。
【０１９７】
電子装置はファンモードで動作しながら空間の温度変化を検出することができる。そして、検出した情報を記憶部に記憶したり制御装置または記憶サーバーに送信して記憶することもできる。
【０１９８】
一方、段階Ｓ１４２０で判断結果測定された時間が臨界時間を超過しない場合、電子装置は段階Ｓ１４４０へ進行することができる。したがって、電子装置は冷暖房器の電源をオン（ｏｎ）し、空間内の温度が適正温度範囲内に到逹するまで冷暖房器を作動することができる。
【０１９９】
本発明の他の実施形態によれば、電子装置は空間の温度が適正範囲を外れるのに所要される時間を測定して制御装置または記憶サーバーに送信することもできる。制御装置または記憶サーバーは測定された時間が臨界時間を超過するか否かを判断することができる。そして、判断結果に基づいて制御装置または記憶サーバーは冷暖房制御コマンドを電子装置で送信することもできる。
【０２００】
一方、図１５は本発明の一実施形態によって、電子装置が冷暖房器を換気モードで制御する方法を示すフローチャートである。
【０２０１】
先ず、段階Ｓ１５００で電子装置は空間の空気汚染度を測定することができる。例えば、電子装置は空気汚染度を測定するための別途のセンサーを含むことができる。したがって、電子装置はセンサーを用いて空間の空気汚染度を測定することができる。
【０２０２】
段階Ｓ１５１０で、電子装置は測定された空気汚染度がしきい値を超過するか否かを判断することができる。判断結果、測定された空気汚染度がしきい値を超過する場合、電子装置は段階Ｓ１５２０へ進行することができる。
【０２０３】
段階Ｓ１５２０で、電子装置は冷暖房器の冷暖房モードをオフ（ｏｆｆ）することができる。例えば、冷房モード動作中に空気汚染度がしきい値を超過することで判断されると、電子装置は冷房モードをオフすることができる。同様に、暖房モード動作中に空気汚染度が臨界値を超過することで判断されると、電子装置は暖房モードをオフすることができる。
【０２０４】
そして、段階Ｓ１５３０で、電子装置は換気モードにオン（ｏｎ）することができる。換気モードは空間内の空気を外部の空気と循環するように制御するモードを意味することができる。
【０２０５】
電子装置は臨界時間の間換気モードを動作させた後に、また冷暖房モードにオン（ｏｎ）することができる。または、臨界時間の間換気モードを動作させた後に、電子装置は空気汚染度をさらに測定することもできる。この時、電子装置は段階Ｓ１５００からさらに行うことができる。
【０２０６】
上述した方法によって、空間内の空気の汚染度がしきい値を超過する場合、空間の温度が設定温度と多少変わっても電子装置は換気モードを優先的にオン（ｏｎ）するように制御することができる。
【０２０７】
一方、以上のような多様な実施形態による電子装置及びその冷暖房制御方法を行うためのプログラムコードは非一時的コンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）に記憶されることができる。非一時的判読可能媒体とは）レジスター、キャッシュ、メモリーなどのように短い瞬間の間のデータを記憶する媒体ではなく半永久的にデータを記憶し、機器の読み取り（ｒｅａｄｉｎｇ）が可能な媒体を意味する。具体的には、上述した多様なアプリケーションまたはプログラムはＣＤ、ＤＶＤ、ハードディスク、ブルーレイディスク、ＵＳＢ、メモリーカード、ＲＯＭなどのような非一時的コンピュータ可読媒体に記憶されて提供されることができる。
【０２０８】
また、以上では本発明の好ましい実施形態に対して示されて説明したが、本発明は上述した特定の実施形態に限定されず、請求範囲で請求する本発明の要旨を逸脱せず該発明が属する技術分野で通常の知識を有する者によって多様な変形実施が可能なことは勿論で、このような変形実施は本発明の技術的思想や見込みから個別的に理解されてはいけないだろう。
【図１】
2019508654.tif 000003
【図２】
2019508654.tif 000004
【図３ａ】
2019508654.tif 000005
【図３ｂ】
2019508654.tif 000006
【図４ａ】
2019508654.tif 000007
【図４ｂ】
2019508654.tif 000008
【図５】
2019508654.tif 000009
【図６】
2019508654.tif 000010
【図７】
2019508654.tif 000011
【図８】
2019508654.tif 000012
【図９ａ】
2019508654.tif 000013
【図９ｂ】
2019508654.tif 000014
【図１０】
2019508654.tif 000015
【図１１】
2019508654.tif 000016
【図１２】
2019508654.tif 000017
【図１３】
2019508654.tif 000018
【図１４】
2019508654.tif 000019
【図１５】
2019508654.tif 000020
【図１６】
2019508654.tif 000021
【図１７ａ】
2019508654.tif 000022
【図１７ｂ】
2019508654.tif 000023
【図１７ｃ】
2019508654.tif 000024
【国際調査報告】
2019508654.tif 000025
2019508654.tif 000026
2019508654.tif 000027
2019508654.tif 000028